(57)【要約】【課題】本発明の課題は、利用者がいる現在地から目的地までを誘導する道案内地図配信システムを提供することである。【解決手段】コンテンツ送信要求を受け付けて、目的地位置情報を含むコンテンツ・データを返信するコンテンツサーバ装置と、コンテンツ送信要求を発行して、コンテンツ・データを受信して、前記利用者携帯端末装置に転送するコンテンツ配布端末装置と、前記転送されたコンテンツ・データを表示して、選択されたコンテンツ・データの目的地位置情報と、ＧＰＳ信号から算出した現在地位置情報と、道案内依頼を発行して、道案内データを受信して、表示する利用者携帯端末装置と、道案内依頼を受け付けて、道案内データを作成して送信する道案内地図サーバ装置と、をネットワーク接続して構成される道案内地図配信システムである。【選択図】図１
2007218810.tif 000002
【特許請求の範囲】
【請求項１】
コンテンツサーバ装置と、コンテンツ配布端末装置と、利用者携帯端末装置と、道案内地図サーバ装置と、をネットワーク接続して構成される道案内地図配信システムにおいて、
前記コンテンツサーバ装置は、
地域を特定する情報と閲覧情報と目的地位置情報とを含むコンテンツ・データを記憶する記憶手段と、
コンテンツ送信要求を受け付けて、これに含まれる地域を特定する情報に対応したコンテンツ・データを選択して、返信するコンテンツ送信手段と、
を備えるサーバ装置であって、
前記コンテンツ配布端末装置は、
コンテンツ配布要求を受け付けて、地域を特定する情報を含むコンテンツ送信要求を発行して、コンテンツ・データを受信するコンテンツ取得手段と、
前記受信したコンテンツ・データを、前記利用者携帯端末装置に転送するコンテンツ配布手段と、
を備える端末装置であって、
前記利用者携帯端末装置は、
前記コンテンツ・データと、現在地と目的地を含む道案内データと、を記憶する記憶手段と、
前記転送されたコンテンツ・データを受信して、これを記憶させるコンテンツ受信手段と、
前記記憶されたコンテンツ・データの閲覧情報を表示する閲覧画面表示手段と、
前記表示された閲覧情報の中から選択された閲覧情報を受け付ける閲覧情報選択受付手段と、
前記受け付けた閲覧情報に対応するコンテンツ・データの目的地位置情報を取得する目的地位置取得手段と、
ＧＰＳ信号を受信して、現在地位置情報を算出するＧＰＳ手段と、
前記取得された目的地位置情報と算出された現在地位置情報を含む道案内依頼を発行する道案内依頼手段と、
道案内データを受信して、表示する道案内表示手段と、
を備えた端末装置であって、
前記道案内地図サーバ装置は、
地形情報と現在地位置情報に対応付けた地図原点座標情報とを含んだ地図データと、現在道案内データと、を記憶する記憶手段と、
道案内依頼を受け付けて、これに含まれる現在地位置情報に対応付けられた地図原点座標情報の地図データを選択する地図データ選択手段と、
前記選択された地図データの地形情報と、道案内依頼に含まれる目的地位置情報と現在地位置情報と、から、道案内データを作成する道案内地図作成手段と、
前記道案内データを送信する道案内地図送信手段と、
を備えたサーバ装置である、
ことを特徴とする道案内地図配信システム。
【請求項２】
前記コンテンツ配布端末装置は、
配布管理データを記憶する記憶手段と、
コンテンツ・データを取得して、配布管理データを作成する配布管理データ作成手段と、
配布管理データを送信する配布管理送信手段と、
を備えた端末装置であって、
前記コンテンツサーバ装置は、
地域を特定する情報と閲覧情報と目的地位置情報とを含むコンテンツ・データと、配布管理データと、を記憶する記憶手段と、
配布管理データを受信する配布管理受信手段と、
を備えたサーバ装置である、
ことを特徴とする請求項１に記載の道案内地図配信システム。
【請求項３】
前記コンテンツ配布端末装置は、
コンテンツ・データを取得して、配布管理データを作成する配布管理データ作成手段、
を備えて、
前記コンテンツ配布手段が、コンテンツ・データに、配布管理データを付加して、前記利用者携帯端末装置に転送する、
ことを特徴とする端末装置であって、
前記利用者携帯端末装置は、
前記コンテンツ・データと、前記配布管理データと、を記憶する記憶手段、
を備えて、
前記コンテンツ受信手段が、前記転送されたコンテンツ・データとそれに付加された配布管理データとを受信して、保持して、
前記道案内依頼手段が、前期配布管理データと前記転送されたコンテンツ・データの目的地位置情報と算出された現在地位置情報とを含む道案内依頼を発行する、
ことを特徴とする端末装置であって、
前記道案内地図サーバ装置は、
地形情報と、現在地位置情報に対応付けた地図原点座標情報とを含んだ地図データと、前記配布管理データと、を記憶する記憶手段と、
を備えて、
前記地図データ選択手段が、道案内依頼を受け付けて、これに含まれる現在地位置情報に対応付けられた現在地位置情報の地図データを選択して、さらに、これに含まれる配布管理データ記憶する、
ことを特徴とするサーバ装置である、
請求項１に記載の道案内地図配信システム。
【請求項４】
地域を特定する情報と閲覧情報と目的地位置情報とを含むコンテンツ・データを記憶する記憶手段と、
コンテンツ送信要求を受け付けて、これに含まれる地域を特定する情報に対応したコンテンツ・データを選択して、返信するコンテンツ送信手段、
を備えることを特徴とするコンテンツサーバ装置。
【請求項５】
地域を特定する情報と閲覧情報と目的地位置情報とを含むコンテンツ・データを記憶する記憶手段と、
コンテンツ配布要求を受け付けて、地域を特定する情報を含むコンテンツ送信要求を発行して、コンテンツ・データを受信するコンテンツ取得手段と、
前記受信したコンテンツ・データを、前記利用者携帯端末装置に転送するコンテンツ配布手段と、
を備えることを特徴とするコンテンツ配布端末装置。
【請求項６】
地域を特定する情報と閲覧情報と目的地位置情報と道案内データとを含むコンテンツ・データと現在地の表記と目的地の表記を含む道案内データとを記憶する記憶手段と、
前記転送されたコンテンツ・データを受信して、これを記憶させるコンテンツ受信手段と、
前記記憶されたコンテンツ・データの閲覧情報を表示する閲覧画面表示手段と、
前記表示された閲覧情報の中から選択された閲覧情報を受け付ける閲覧情報選択受付手段と、
前記受け付けた閲覧情報に対応するコンテンツ・データの目的地位置情報を取得する目的地位置取得手段と、
ＧＰＳ信号を受信して、現在地位置情報を算出するＧＰＳ手段と、
前記取得された目的地位置情報と算出された現在地位置情報を含む道案内依頼を発行する道案内依頼手段と、
道案内データを受信して、表示する道案内表示手段と、
を備えることを特徴とする利用者携帯端末装置。
【請求項７】
地形情報と、現在地位置情報に対応付けた地図原点座標情報とを含んだ地図データと、現在地の表記と目的地の表記を含む道案内データと、を記憶する記憶手段と、
道案内依頼を受け付けて、これに含まれる現在地位置情報に対応付けられた地図原点座標情報の地図データを選択する地図データ選択手段と、
前記選択された地図データの地形情報と、道案内依頼に含まれる目的地位置情報と現在地位置情報と、から道案内データを作成する道案内地図作成手段と、
前記道案内データを送信する道案内地図送信手段と、
を備えたサーバ装置である、
を備えることを特徴とする道案内地図サーバ装置。
【請求項８】
地域を特定する情報と閲覧情報と目的地位置情報とを含むコンテンツ・データと、
地形情報と現在地位置情報に対応付けた地図原点座標情報とを含んだ地図データと、
現在地の表記と目的地の表記を含む道案内データと、
を利用する電子地図配布方法であって、
コンテンツ配布要求を受け付けて、地域を特定する情報を含むコンテンツ取得要求を発行するコンテンツ取得要求ステップと、
コンテンツ取得要求を受け付けて、これに含まれる地域を特定する情報に対応したコンテンツ・データを選択して、提供するコンテンツ提供ステップと、
前記提供されたコンテンツ・データに含まれる閲覧情報を表示する閲覧画面表示ステップと、
前記表示された閲覧情報の中から選択された閲覧情報を受け付ける閲覧情報選択受付ステップと、
前記受け付けた閲覧情報に対応するコンテンツ・データの目的地位置情報を取得する目的地位置取得ステップと、
ＧＰＳ信号を受信して、現在地位置情報を算出するＧＰＳステップと、
前記取得された目的地位置情報と算出された現在地位置情報を含む道案内依頼を発行する道案内依頼ステップと、
道案内依頼を受け付けて、これに含まれる現在地位置情報に対応付けられた地図原点座標情報の地図データを選択する地図データ選択ステップと、
前記選択された地図データと、道案内依頼に含まれる目的地位置情報と現在地位置情報とから、現在地の表記と目的地の表記を含む道案内データを作成する道案内地図作成ステップと、
前記道案内データを送信する道案内地図送信ステップと、
道案内データを受信して、表示する道案内表示ステップと、
を含んだ手順でなされることを特徴とする道案内地図配信方法。
【請求項９】
前記選択されたコンテンツ・データから、配布管理データを作成して記憶する配布管理データ作成ステップ、
を含んだ手順でなされることを特徴とする請求項８に記載の道案内地図配信方法。
【請求項１０】
前記道案内依頼ステップが、前記取得された目的地位置情報と算出された現在地位置情報と記憶された配布管理データを含む道案内依頼を発行して、
前記地図データ選択ステップが、道案内依頼を受け付けて、これに含まれる現在地位置情報に対応付けられた地図原点座標情報の地図データを選択して、道案内依頼に含まれる配布管理データを取得して記憶する、
ことを特徴とする請求項９に記載の道案内地図配信方法。
【請求項１１】
コンピュータに組込むことによって、コンピュータを請求項１から、請求項３のいずれか１項に記載の道案内地図配信システム、または、請求項４に記載のコンテンツサーバ装置、または、請求項５に記載のコンテンツ配布端末装置、または、請求項６に記載の利用者携帯端末装置、または、請求項７に記載の案内地図サーバ装置として動作させるコンピュータプログラム。
【請求項１２】
請求項１０に記載のコンピュータプログラムを記録したコンピュータ読取り可能な記録媒体。
【発明の詳細な説明】
【技術分野】
【０００１】
本発明は、携帯端末装置に、地図情報と店舗情報を取得するシステムに関するものである。
【０００２】
従来から、目的地点への誘導に、ナビゲーション装置が利用されている。ここで、ナビゲーション装置は、地図画像を用いて、現在地から、目的地点へのルート案内（たとえば、使用する道路の指示や、現在地からの距離表示）を行う。また、ナビゲーション装置は、現在地や目的地周辺の地図案内（たとえば、店舗案内）を行う。
【背景技術】
【０００３】
たとえば、特許文献１では、利用者の携帯端末装置から現在地情報と店舗検索条件を取得して、地図情報と利用者がいる周辺の店舗検索条件に該当する店舗情報とを共に配信する技術が開示されている。（従来技術１）
【特許文献１】特許第３６７８６８２号公報（６〜９ページ、図２，４）
【発明の開示】
【発明が解決しようとする課題】
【０００４】
ところで、従来技術１では、利用者が検索した店舗情報から希望する店舗を選択した後は、利用者は、地図を手がかりに道順を考えて、試行錯誤を繰り返しながら、その店舗にたどり着かなければならないという問題点があった。
【０００５】
本発明はこのような従来技術を考慮してなされたものであって、本発明の課題は、利用者がいる現在地から目的地までを誘導する道案内地図配信システムを提供することである。
【課題を解決するための手段】
【０００６】
本発明は、以下のような解決手段により、前記課題を解決する。すなわち、請求項１の発明は、コンテンツサーバ装置と、コンテンツ配布端末装置と、利用者携帯端末装置と、道案内地図サーバ装置と、をネットワーク接続して構成される道案内地図配信システムにおいて、前記コンテンツサーバ装置は、地域を特定する情報と閲覧情報と目的地位置情報とを含むコンテンツ・データを記憶する記憶手段と、コンテンツ送信要求を受け付けて、これに含まれる地域を特定する情報に対応したコンテンツ・データを選択して、返信するコンテンツ送信手段、を備えるサーバ装置であって、前記コンテンツ配布端末装置は、コンテンツ配布要求を受け付けて、地域を特定する情報を含むコンテンツ送信要求を発行して、コンテンツ・データを受信するコンテンツ取得手段と、前記受信したコンテンツ・データを、前記利用者携帯端末装置に転送するコンテンツ配布手段と、を備える端末装置であって、前記利用者携帯端末装置は、前記コンテンツ・データと、現在地と目的地を含む道案内データと、を記憶する記憶手段と、前記転送されたコンテンツ・データを受信して、これを記憶させるコンテンツ受信手段と、前記記憶されたコンテンツ・データの閲覧情報を表示する閲覧画面表示手段と、表示された閲覧情報の中から選択された閲覧情報を受け付ける閲覧情報選択受付手段と、受け付けた閲覧情報に対応するコンテンツ・データの目的地位置情報を取得する目的地位置取得手段と、ＧＰＳ信号を受信して、現在地位置情報を算出するＧＰＳ手段と、前記取得された目的地位置情報と算出された現在地位置情報を含む道案内依頼を発行する道案内依頼手段と、道案内データを受信して、表示する道案内表示手段と、を備えた端末装置であって、前記道案内地図サーバ装置は、地形情報と現在地位置情報に対応付けた地図原点座標情報とを含んだ地図データと、現在道案内データと、を記憶する記憶手段と、道案内依頼を受け付けて、これに含まれる現在地位置情報に対応付けられた地図原点座標情報の地図データを選択する地図データ選択手段と、前記選択された地図データの地形情報と、道案内依頼に含まれる目的地位置情報と現在地位置情報と、から、道案内データを作成する道案内地図作成手段と、前記道案内データを送信する道案内地図送信手段と、を備えたサーバ装置である、ことを特徴とする道案内地図配信システムである。
【０００７】
ここで、コンテンツ配布端末装置が、地域を特定する情報を含んだコンテンツ送信要求を利用者携帯端末装置に発行ことで、利用者は、付近の目的地（店舗）の閲覧情報を、容易に、洩れなく、入手することができる。他方、店舗は、付近に居る利用者携帯端末装置に、確実に店舗の閲覧情報を提供することができる。
【０００８】
請求項２の発明は、前記コンテンツ配布端末装置は、配布管理データを記憶する記憶手段と、コンテンツ・データを取得して、配布管理データを作成する配布管理データ作成手段と、配布管理データを送信する配布管理送信手段と、を備えた端末装置であって、前記コンテンツ転送手段が、コンテンツ配布要求を受け付けて、地域を特定する情報を含むコンテンツ送信要求を発行して、コンテンツ・データを受信して、配布管理データを作成保存して、コンテンツ・データを、前記利用者携帯端末装置に転送する、
ことを特徴とする端末装置であって、前記コンテンツサーバ装置は、地域を特定する情報と閲覧情報と目的地位置情報とを含むコンテンツ・データと、配布管理データと、を記憶する記憶手段と、配布管理データを受信する配布管理受信手段と、を備えたサーバ装置である、ことを特徴とする請求項１に記載の道案内地図配信システムである。
【０００９】
請求項３の発明は、前記コンテンツ配布端末装置は、コンテンツ・データを取得して、配布管理データを作成する配布管理データ作成手段、を備えて、前記コンテンツ配布手段が、コンテンツ配布要求を受け付けて、地域を特定する情報を含むコンテンツ送信要求を発行して、コンテンツ・データを受信して、配布管理データを作成して、コンテンツ・データに配布管理データを付加して、前記利用者携帯端末装置に転送する、ことを特徴とする端末装置であって、前記利用者携帯端末装置は、前記コンテンツ・データと、前記配布管理データと、を記憶する記憶手段、を備えて、前記コンテンツ受信手段が、前記転送されたコンテンツ・データとそれに付加された配布管理データとを受信して、保持して、前記道案内依頼手段が、前期配布管理データと前記転送されたコンテンツ・データの目的地位置情報と算出された現在地位置情報とを含む道案内依頼を発行する、ことを特徴とする端末装置であって、前記道案内地図サーバ装置は、地形情報と、現在地位置情報に対応付けた地図原点座標情報とを含んだ地図データと、前記配布管理データと、を記憶する記憶手段と、を備えて、前記地図データ選択手段が、道案内依頼を受け付けて、これに含まれる現在地位置情報に対応付けられた現在地位置情報の地図データを選択して、さらに、これに含まれる配布管理データ記憶する、ことを特徴とするサーバ装置である、請求項１に記載の道案内地図配信システムである。
【００１０】
請求項４の発明は、地域を特定する情報と閲覧情報と目的地位置情報とを含むコンテンツ・データを記憶する記憶手段と、コンテンツ送信要求を受け付けて、これに含まれる地域を特定する情報に対応したコンテンツ・データを選択して、返信するコンテンツ送信手段、を備えることを特徴とするコンテンツサーバ装置である。
【００１１】
請求項５の発明は、地域を特定する情報と閲覧情報と目的地位置情報とを含むコンテンツ・データを記憶する記憶手段と、コンテンツ配布要求を受け付けて、地域を特定する情報を含むコンテンツ送信要求を発行して、コンテンツ・データを受信するコンテンツ取得手段と、前記受信したコンテンツ・データを、前記利用者携帯端末装置に転送するコンテンツ配布手段と、を備えることを特徴とするコンテンツ配布端末装置置である。
【００１２】
請求項６の発明は、地域を特定する情報と閲覧情報と目的地位置情報と道案内データとを含むコンテンツ・データと現在地の表記と目的地の表記を含む道案内データとを記憶する記憶手段と、前記転送されたコンテンツ・データを受信して、これを記憶させるコンテンツ受信手段と、前記記憶されたコンテンツ・データの閲覧情報を表示する閲覧画面表示手段と、表示された閲覧情報の中から選択された閲覧情報を受け付ける閲覧情報選択受付手段と、受け付けた閲覧情報に対応するコンテンツ・データの目的地位置情報を取得する目的地位置取得手段と、ＧＰＳ信号を受信して、現在地位置情報を算出するＧＰＳ手段と、前記取得された目的地位置情報と算出された現在地位置情報を含む道案内依頼を発行する道案内依頼手段と、道案内データを受信して、表示する道案内表示手段と、を備えることを特徴とする利用者携帯端末装置である。
【００１３】
請求項７の発明は、地形情報と、現在地位置情報に対応付けた地図原点座標情報とを含んだ地図データと、現在地の表記と目的地の表記を含む道案内データと、を記憶する記憶手段と、道案内依頼を受け付けて、これに含まれる現在地位置情報に対応付けられた地図原点座標情報の地図データを選択する地図データ選択手段と、前記選択された地図データの地形情報と、道案内依頼に含まれる目的地位置情報と現在地位置情報と、から道案内データを作成する道案内地図作成手段と、前記道案内データを送信する道案内地図送信手段と、を備えたサーバ装置である、を備えることを特徴とする道案内地図サーバ装置である。
【００１４】
請求項８の発明は、地域を特定する情報と閲覧情報と目的地位置情報とを含むコンテンツ・データと、地形情報と現在地位置情報に対応付けた地図原点座標情報とを含んだ地図データと、現在地の表記と目的地の表記を含む道案内データと、を利用する電子地図配布方法であって、コンテンツ配布要求を受け付けて、地域を特定する情報を含むコンテンツ取得要求を発行するコンテンツ取得要求ステップと、コンテンツ取得要求を受け付けて、これに含まれる地域を特定する情報に対応したコンテンツ・データを選択して、提供するコンテンツ提供ステップと、前記提供されたコンテンツ・データに含まれる閲覧情報を表示する閲覧画面表示ステップと、表示された閲覧情報の中から選択された閲覧情報を受け付ける閲覧情報選択受付ステップと、受け付けた閲覧情報に対応するコンテンツ・データの目的地位置情報を取得する目的地位置取得ステップと、 ＧＰＳ信号を受信して、現在地位置情報を算出するＧＰＳステップと、前記取得された目的地位置情報と算出された現在地位置情報を含む道案内依頼を発行する道案内依頼ステップと、道案内依頼を受け付けて、これに含まれる現在地位置情報に対応付けられた地図原点座標情報の地図データを選択する地図データ選択ステップと、前記選択された地図データと、道案内依頼に含まれる目的地位置情報と現在地位置情報とから、現在地の表記と目的地の表記を含む道案内データを作成する道案内地図作成ステップと、前記道案内データを送信する道案内地図送信ステップと、道案内データを受信して、表示する道案内表示ステップと、を含んだ手順でなされることを特徴とする道案内地図配信方法である。
【００１５】
請求項９の発明は、前記選択されたコンテンツ・データから、配布管理データを作成して記憶する配布管理データ作成ステップ、を含んだ手順でなされることを特徴とする請求項８に記載の道案内地図配信方法である。
【００１６】
請求項１０の発明は、前記道案内依頼ステップが、前記取得された目的地位置情報と算出された現在地位置情報と記憶された配布管理データを含む道案内依頼を発行して、
前記地図データ選択ステップが、道案内依頼を受け付けて、これに含まれる現在地位置情報に対応付けられた地図原点座標情報の地図データを選択して、道案内依頼に含まれる配布管理データを取得して記憶する、ことを特徴とする請求項９に記載の道案内地図配信方法である。
【００１７】
請求項１１の発明は、コンピュータに組込むことによって、コンピュータを請求項１から、請求項３のいずれか１項に記載の道案内地図配信システム、または、請求項４に記載のコンテンツサーバ装置、または、請求項５に記載のコンテンツ配布端末装置、または、請求項６に記載の利用者携帯端末装置、または、請求項７に記載の案内地図サーバ装置として動作させるコンピュータプログラムである。
【００１８】
請求項１２の発明は、請求項１０に記載のコンピュータプログラムを記録したコンピュータ読取り可能な記録媒体である。
【発明の効果】
【００１９】
本願発明によれば、コンテンツ（たとえば、フリーペーパ）の利用者は、現在いる場所から、利用者が希望する施設（たとえば、フリーペーパに掲載されている施設の中から選んだ施設）に、簡単容易に、到達できる。
【発明を実施するための最良の形態】
【００２０】
（実施例）
以下、図面等を参照しながら、本発明の実施の形態について、更に詳しく説明する。図１は、道案内地図配信システムの概要を説明する図である。道案内地図配信システム１は、コンテンツサーバ装置３００と、コンテンツ配布端末装置１００と、利用者携帯端末装置５００と、道案内地図サーバ装置７００と、を、ネットワーク接続９００されて構成される。
【００２１】
コンテンツサーバ装置３００は、コンテンツ・データ３９１を備える。コンテンツ配布端末装置１００は、コンテンツ・データ３９１を備える。道案内地図サーバ装置７００は、地図データ７９１と、道案内データ７９９と、を備える。利用者携帯端末装置５００は、コンテンツ・データ３９１と道案内データ７９９とを備える。この利用者携帯端末装置５００は、たとえば、ＧＰＳ機能付携帯電話である。
【００２２】
コンテンツ・データ３９１は、地域を特定する情報（地域名）と閲覧情報（店舗紹介や割引サービス内容）と目的地位置情報（店舗の経度・緯度）とを含むデータであって、たとえば、フリーペーパの原稿データから作成したフリーペーパのデータである。道案内データ７９９は、現在地と目的地とを含む地図の表示データである。
【００２３】
ここで、フリーペーパとは、地域を限定して配布される無料紙である。フリーペーパには、その地域にある施設の情報（店舗案内やキャンペーン情報や割引クーポンなど）が掲載されている。そこで、コンテンツ配布端末装置１００は、フリーペーパが配布される地域の施設（たとえば、駅やコンビニ）に設置される。
【００２４】
なお、フリーペーパが配布される地域の街頭において、利用者携帯端末装置５００が、コンテンツサーバ装置３００から直接に、コンテンツ・データ３９１を受信してもよい。このとき、利用者携帯端末装置５００とコンテンツサーバ装置３００との通信方法に、たとえば、Bluetoothを用いてもよい。
【００２５】
図２は、道案内地図配信システム１の大まかな処理の流れを説明する。コンテンツ配布端末装置１００は、利用者が入力したコンテンツ配布要求を受け付けて、コンテンツ送信要求を発行する（図２（ア））。コンテンツサーバ装置３００は、コンテンツ送信要求を受け付けて、閲覧情報に目的地位置情報を対応付けたコンテンツ・データ３９１を、返信する（同（イ））。コンテンツ配布端末装置１００は、コンテンツ・データ３９１を受信して、利用者携帯端末装置５００に転送する（同（ウ））。
【００２６】
このとき、コンテンツ・データは、コンテンツ配布端末装置１００が設置されている地域のコンテンツ・データ３９１に限定して、配布してもよい。また、コンテンツ配布端末装置１００が設置されている地域の固有データ（近辺商店街のキャンペーン情報）や設置されている施設の固有データ（たとえば、コンビニのサービス情報）をコンテンツ・データ３９１に追加して配布してもよい。
【００２７】
次に、利用者携帯端末装置５００は、コンテンツ・データ３９１を受信して、閲覧情報（たとえば、店舗紹介やキャンペーン情報や割引サービス内容）を閲覧画面５８０ａに表示する（同（エ））。
【００２８】
このとき、利用者携帯端末装置５００は、ＧＰＳ機能を用いて、ＧＰＳ衛星９１０から電波を受信して、現在地位置情報（今居る場所の経度・緯度）を求めて、コンテンツ・データ３９１から現在地近辺の閲覧情報を選択して、表示させても良い。また、距離に対応させて表示（たとえば、近い順に表示。）させても良い。また、現在地からの距離を指定して、対応する閲覧情報を、表示させても良い。
【００２９】
次に、利用者携帯端末装置５００は、閲覧画面５８０ａに表示された閲覧情報の中から選択された閲覧情報を受け付けて、これに対応する目的地位置情報（たとえば、店舗の経度・緯度）をコンテンツ・データ３９１から取得する（同（カ））。利用者携帯端末装置５００は、ＧＰＳ衛星９１０から電波を受信して、現在地位置情報を算出する（同（キ））。利用者携帯端末装置５００は、目的地位置情報と算出された現在地位置情報とを含む道案内依頼を発行する（同（ク））。道案内地図サーバ装置７００は、道案内依頼を受け付ける（同（ケ））。
【００３０】
道案内地図サーバ装置７００は、道案内依頼に含まれる現在地位置情報に対応する地図原点位置情報の地図データ７９１を選択する。選択した地図データ７９１と道案内依頼に含まれる目的地位置情報と現在地位置情報とから、道案内データ７９９（たとえば、現在地と目的地とを含む地図）を作成して、送信する（同（サ））。利用者携帯端末装置５００は、道案内データ７９９を受信して、道案内画面５８０ｂに表示する（同（シ））。
【００３１】
図３は、電子地図配布システム１の詳細な構成図である。
【００３２】
コンテンツサーバ装置３００は、コンテンツ送信手段３１０と、記憶手段３９０と、を備える。記憶手段３９０は、コンテンツ・データ３９１を記憶する。
【００３３】
コンテンツ・データ３９１は、地域を特定する情報と、目的地位置情報を対応付けた閲覧情報と、を含むデータである。
【００３４】
コンテンツ送信手段３１０は、コンテンツ送信要求を受け付けて、これに含まれる地域を特定する情報に対応したコンテンツ・データを選択して、返信する。
【００３５】
コンテンツ送信手段３１０は、コンピュータプログラムである。コンテンツ・データ３９１は、コンピュータプログラムが可読なデータである。記憶手段３９０は、メモリである。
【００３６】
コンテンツ配布端末装置１００は、コンテンツ取得手段１１０とコンテンツ配布手段１１５とを備える。
【００３７】
コンテンツ取得手段１１０は、コンテンツ配布要求を受け付けて、地域を特定する情報を含むコンテンツ送信要求を発行して、コンテンツ・データを受信する。
コンテンツ配布手段１１５は、前記受信したコンテンツ・データを、前記利用者携帯端末装置に転送する。
【００３８】
コンテンツ取得手段１１０とコンテンツ配布手段１１５とは、コンピュータプログラムである。
【００３９】
利用者携帯端末装置５００は、コンテンツ受信手段５１０と、閲覧画面表示手段５２０と、閲覧情報選択受付手段５３０と、目的地位置取得手段５４０と、ＧＰＳ手段５５０と、道案内依頼手段５６０と、道案内表示手段５７０と、記憶手段５９０と、を備える。記憶手段５９０は、コンテンツ・データ３９１と、道案内データ７９９（詳細は後述する。）と、を備える。
【００４０】
コンテンツ受信手段５１０は、前記転送されたコンテンツ・データ３９１を受信して、記憶する。閲覧画面表示手段５２０は、前記記憶されたコンテンツ・データ３９１に含まれる閲覧情報を表示する。閲覧情報選択受付手段５３０は、表示された閲覧情報の中から選択された閲覧情報を受け付ける。目的地位置取得手段５４０は、前記受け付けられた閲覧情報を取得して、これをキーとして、コンテンツ・データ３９１を参照して、前記キーに一致する閲覧情報に対応付けられた目的地位置情報を取得する。ＧＰＳ手段５５０は、ＧＰＳ信号を受信して、現在地位置情報を算出する。道案内依頼手段５６０は、前記取得された目的地位置情報と算出された現在地位置情報を取得して、これらを含む道案内依頼を発行する。道案内表示手段５７０は、道案内データを受信して、表示する。
【００４１】
コンテンツ受信手段５１０と、閲覧画面表示手段５２０と、閲覧情報選択受付手段５３０と、目的地位置取得手段５４０と、ＧＰＳ手段５５０と、道案内依頼手段５６０と、道案内表示手段５７０と、は、コンピュータプログラムである。コンテンツ・データ３９１と、道案内データ７９９と、は、コンピュータプログラムが可読なデータである。記憶手段５９０は、メモリである。
【００４２】
道案内地図サーバ装置７００は、地図データ選択手段７６０と、道案内地図作成手段７６５と、道案内地図送信手段７７０と、記憶手段７９０と、を備える。記憶手段７９０は、地図データ７９１と、道案内データ７９９と、を記憶する。
【００４３】
地図データ７９１は、地形情報と、現在地位置情報に対応付けた地図原点座標情報とをを含むデータである。道案内データ７９９は、現在地の表記と目的地の表記とを含むデータである。
【００４４】
地図データ選択手段７６０は、前記道案内依頼を受け付けて、これに含まれる現在地位置情報に対応付けられた地図原点座標情報の地図データを選択する。
【００４５】
道案内地図作成手段７６５は、前記選択された地図データの地形情報と、道案内依頼に含まれる目的地位置情報と現在地位置情報と、から、道案内データを作成する。詳細には、道案内地図作成手段７６５は、まず、前記選択された地図データの地図原点座標情報を用いて、道案内依頼に含まれる目的地位置情報と現在地位置情報とを、それぞれ、目的地地図座標情報と現在地地図座標情報とに変換する。次に、前記目的地地図座標情報と前記現在地地図座標情報と前記選択された地図データの地形情報を取得して、前記道案内データを作成する。
【００４６】
道案内地図送信手段７７０は、前記道案内データを送信する。
【００４７】
地図データ選択手段７６０と、道案内地図作成手段７６５と、道案内地図送信手段７７０と、は、コンピュータプログラムである。地図データ７９１は、コンピュータプログラムが可読なベクトルデータである。道案内データ７９９は、コンピュータプログラムが可読なビットマップデータである。記憶手段７９０は、メモリである。
【００４８】
図４は、コンテンツ・データ３９１の構造と例である。コンテンツ・データ３９１の項目は、コンテンツ名称３９１ａとバージョン３９１ｂと地域を特定する情報３９１ｃと目的地名称３９１ｄと目的地位置情報３９１ｅと閲覧情報３９１ｆとから成る。コンテンツ名称３９１ａは、コンテンツの名称（たとえば、フリーペーパの名称）である。バージョン３９１ｂは、コンテンツの編集版の情報（たとえば、フリーペーパの編集版の情報）である。地域を特定する情報３９１ｃは、地域名（たとえば、フリーペーパの掲載区分地域名＝目的地のある地域の名称）である。目的地名称３９１ｄは、目的地の名称（たとえば、施設の名称や場所の名称）である。目的地位置情報３９１ｅは、目的地の経度と緯度の値である。閲覧情報３９１ｆは、目的地に関する説明文で、たとえば、施設の紹介文や、キャンペーン情報や割引クーポン情報などである。
【００４９】
図４には、コンテンツ・データ３９１が例示されている。たとえば、コンテンツ名称３９１ａ＝「新宿」、バージョン３９１ｂ＝「2006.01.31  Ｂ版」、地域を特定する情報３９１ｃ＝「新宿駅西口」、目的地名称３９１ｄ＝「○△酒房」、目的地位置情報３９１ｅ＝「経度：１３９°６９′７１４８、緯度：  ３５°６９′００４０」、閲覧情報３９１ｆ＝「世界のお酒が、・・」、などが、例示されている。
【００５０】
図５は、地図データ７９１の構造と例である。地図データ７９１の項目は、地図名称７９１ａと、地図原点絶対座標データ７９１ｂと、地形データ７９１ｃとから成る。地図名称７９１ａは、地図の名称である。地図原点絶対座標データ７９１ｂは、地図の原点の経度と緯度の値である。地形データ７９１ｃは、地図の図形データである。
【００５１】
図５には、地図データ７９１が例示されている。たとえば、地図名称７９１ａ＝「新宿駅西口付近」、地図原点絶対座標データ７９１ｂ＝「経度：１３９°６７′５６、緯度：  ３５°６６′４１」、地形データ７９１ｃ＝「新宿駅西口付近の地形データ」、などが、例示されている。
【００５２】
図６は、地図座標値の算出式７６５ａの説明図である。図６には、現在地位置情報（緯度、経度の値）と目的地位置情報（緯度、経度の値）とを、地図上の相対座標値（地図原点からの地図座標値）に変換する座標値算出式７６５ａが示されている。現在地の緯度の値と地図原点の緯度の値との差を求めて、この差の値に所定の数値（たとえば、０．００２５）を乗算して、地図原点からの緯度方向の現在地地図座標値（ｘ）を算出する。次に、現在地の経度の値と地図原点の経度の値との差を求めて、この差の値に所定の数値（たとえば、０．００３１）を乗算して、地図原点からの経度方向の現在地地図座標値（ｙ）を算出する。同様にして、目的地と地図原点の緯度、緯度の値から、目的地地図座標値（ｘ）と（ｙ）を算出する。ちなみに、日本国内では、経度１秒= ２５ｍと、緯度１秒=３１ｍとから、それぞれの所定の値を求めている。
【００５３】
なお、現在地の地図座標値と目的地の地図座標値とを用いて、地図データの地形データから、表示用の案内地図データを作成する。
【００５４】
図７は、道案内地図サーバ装置７００における道案内データの作成手順の説明図である。道案内地図サーバ装置７００は、利用者携帯端末装置５００から、現在地（新宿駅西口前）の経度と緯度の値と目的地（＝○△酒房）の経度と緯度の値とを、受信して保持している。また、「新宿駅西口前」の経度と緯度の値に対応する地図原点の地図データ（新宿駅西口付近の地図データ）を選択してある。
【００５５】
ここで、道案内地図サーバ装置７００は、図６で説明した地図座標値の算出式７７ａを用いて、「新宿駅西口前」の経度と緯度の値と、地図原点の経度と緯度の値と代入して、「新宿駅西口前」の地図座標値を算出する（図７（ア））。同様にして、地図座標値の算出式７７ａを用いて、「○△酒房」の経度と緯度の値と、地図原点の経度と緯度の値と代入して、「○△酒房」の地図座標値を算出する（図７（イ））。
【００５６】
新宿駅西口付近の地形データに、現在地の記号と、「○△酒房」の表記などを配置する（ウ）。現在地の記号と、「○△酒房」の表記などを配置した地形データから、現在地と目的地を含む道案内データ７９９を作成する（エ）。
【００５７】
次に、変形例について、説明する。
（変形例１）
コンテンツ・データの利用実績を収集する道案内地図配布システムについて、説明する。図８は、利用実績を収集する道案内地図配布システム２の全体構成である。利用実績を収集する道案内地図配信システム２は、コンテンツサーバ装置３００と、コンテンツ配布端末装置１００と、利用者携帯端末装置５００と、道案内地図サーバ装置７００と、を、ネットワーク接続９００されて構成される。コンテンツサーバ装置３００は、コンテンツ・データ３９１と配布管理データ１９９とを備える。コンテンツ配布端末装置１００は、コンテンツ・データ３９１と配布管理データ１９９とを備える。道案内地図サーバ装置７００は、地図データ７９１と、道案内データ７９９と、配布管理データ１９９と、を備える。利用者携帯端末装置５００は配布管理データ１９９を備える。この利用者携帯端末装置５００は、たとえば、ＧＰＳ機能付携帯電話である。
【００５８】
配布管理データ１９９とは、コンテンツ・データ３９１を配布したときの管理情報を記録したデータである。
【００５９】
図９は、利用実績を収集する道案内地図配信システム２の大まかな処理の流れを説明する。コンテンツ配布端末装置１００は、利用者が入力したコンテンツ配布要求を受け付けて、コンテンツ送信要求を発行する（図９（ア））。コンテンツサーバ装置３００は、コンテンツ送信要求を受け付けて、閲覧情報３９１ｆと目的地位置情報３９１ｅとを対応付けたコンテンツ・データ３９１を、返信する（同（イ））。
【００６０】
コンテンツ配布端末装置１００は、コンテンツ・データ３９１を受信して、配布管理データ１９９を作成する（同（ウ））。コンテンツ配布端末装置１００は、利用者携帯端末装置５００に、コンテンツ・データ３９１と前記作成した配布管理データ１９９とを、転送する（同（エ））。利用者携帯端末装置５００は、コンテンツ・データ３９１と配布管理データ１９１とを受信して、配布管理データ１９１を保存して、コンテンツ・データ３９１に含まれる閲覧情報３９１ｆを閲覧画面５８０ａに表示する（同（オ））。
【００６１】
利用者携帯端末装置５００は、閲覧画面５８０ａに表示された閲覧情報３９１ｆの中から選択された閲覧情報３９１ｆを受け付けて、これに対応する目的地位置情報３９１ｅを取得する（同（カ））。
【００６２】
利用者携帯端末装置５００は、ＧＰＳ衛星９１０から電波を受信して、現在地位置情報を算出する（同（キ））。利用者携帯端末装置５００は、目的位置情報と現在位置情報と配布管理データ１９１とを含む道案内依頼を発行する（同（ク））。
【００６３】
道案内地図サーバ装置７００は、道案内依頼を受け付けて、配布管理データ１９１を保存する（同（ケ））。道案内地図サーバ装置７００は、道案内依頼に含まれる現在地位置情報に対応する地位置情報の地図データ７９１を選択する。選択した地図データ７９１と道案内依頼に含まれる目的地位置情報と現在地位置情報とから、道案内データ７９９を作成して、送信する（同（サ））。
【００６４】
なお、道案内地図サーバ装置７００は、保存した配布管理データ１９９を、分析して、今後のコンテンツの編集や販売促進活動に反映させる。
【００６５】
利用者携帯端末装置５００は、道案内データ７９９を受信して、道案内画面５８０ｂに表示する（同（シ））。
【００６６】
なお、利用者携帯端末装置５００は、目的地に到着したとき（たとえば、クーポンを表示させたとき）に、配布管理データ１９１を送信してもよい。
【００６７】
コンテンツ配布端末装置１００は、配布管理データ１９９を送信する（同（タ））。コンテンツサーバ装置３００は、配布管理データ１９９を受信保存する（同（チ））。
【００６８】
なお、ここで、配布管理データ１９９は、道案内地図サーバ装置７００とコンテンツサーバ装置３００との両方に、送信する場合を説明したが、道案内地図サーバ装置７００、または、コンテンツサーバ装置３００の一方だけに送信しても良い。保存した配布管理データ１９９は、分析して、今後のコンテンツ（たとえば、フリーペーパ）の編集や販売促進活動に反映させる。
【００６９】
図１０は、利用実績を収集する道案内地図配布システム２の詳細な構成図である。
【００７０】
コンテンツ配布端末装置１００は、配布管理送信手段１８０と、配布管理データ作成手段１８５図３と同じ手段と、を備える。記憶手段１９０は、配布管理データ１９１を記憶する。
【００７１】
コンテンツ配布手段１１５は、配布管理データ１９１を作成して、これをコンテンツ・データ３９１に、付加して、利用者携帯端末装置に転送する。
配布管理データ作成手段１８５は、コンテンツ・データを取得して、配布管理データを作成する。
配布管理送信手段１８０は、配布管理データ１９１をコンテンツサーバ装置３００に、送信する。
前記コンテンツ配布手段１１５は、コンテンツ・データに、配布管理データを付加して、前記利用者携帯端末装置に転送する。
【００７２】
コンテンツサーバ装置３００は、配布管理受信手段３８０と、図３と同じ手段と、を備える。記憶手段３９０は、コンテンツ・データ３９１と配布管理データ１９１とを記憶する。
【００７３】
配布管理受信手段３８０は、配布管理データ１９１を受信して保存する。
【００７４】
利用者携帯端末装置５００は、図３と同じ手段を備える。記憶手段５９０は、コンテンツ・データ３９１と配布管理データ１９１とを記憶する。
【００７５】
コンテンツ受信手段５１０は、前記転送された配布管理データ１９１を付加されたコンテンツ・データ３９１を受信して、これを記憶させる。道案内依頼手段５６０は、前期配布管理データと前記取得された目的地位置情報と算出された現在地位置情報を取得して、これらを含む道案内依頼を発行する。
【００７６】
道案内地図サーバ装置７００は、図３と同じ手段を備える。記憶手段７９０は、地図データ７９１と、道案内データ７９９と、配布管理データ１９１と、を記憶する。
【００７７】
地図データ選択手段７６３は、道案内依頼を受け付けて、これに含まれる現在地位置情報に対応付けられた現在地位置情報の地図データを選択して、さらに、これに含まれる配布管理データ記憶する。
【００７８】
コンテンツ配布手段１１５と、配布管理送信手段１８０と、配布管理データ作成手段１８５と、配布管理受信手段３８０と、コンテンツ受信手段５１０と、道案内依頼手段５６０と、地図データ選択手段７６３と、コンテンツ配布端末装置１００の図３と同じ各手段と、コンテンツサーバ装置３００の図３と同じ各手段と、利用者携帯端末装置５００の図３と同じ各手段と、道案内地図サーバ装置７００の図３と同じ各手段と、は、コンピュータプログラムである。配布管理データ１９１は、コンピュータプログラムが可読なデータである。各記憶手段１９０／３９０／５９０／７９０は、メモリである。
【００７９】
図１１は、配布管理データ１９９の構造と例の説明図である。配布管理データ１９９を構成する項目には、コンテンツ名称１９９ａ、バージョン１９９ｂ、地域を特定する情報１９９ｃ、配布時刻１９９ｄ、配布端末種別１９９ｅ、配布場所１９９ｆ、接続形態１９９ｇなどがある。コンテンツ名称１９９ａは、コンテンツの名称（たとえば、フリーペーパの名称）である。バージョン１９９ｂは、コンテンツ（たとえば、フリーペーパ）の発行日や版である。地域を特定する情報１９９ｃは、地域名（たとえば、フリーペーパの掲載区分地域名：新宿駅西口、都庁など）である。配布時刻１９９ｄは、コンテンツ・データを配布した日・時刻である。配布端末種別１９９ｅは、コンテンツ・データを配布したコンテンツ配布端末装置の種類（たとえば、コンビニ情報端末、駅情報端末、街頭無線）を記述する。配布場所１９９ｆは、施設名、店舗名、街頭無線場所名などである。接続形態１９９ｇは、ダウンロードの方法（有線、無線）を記述する。
【００８０】
図１１には、配布管理データ１９９として、「コンテンツ名称＝新宿駅周辺」１９９ａ、「バージョン＝2006.01.31  Ｂ版」１９９ｂ、「地域を特定する情報＝新宿駅西口」１９９ｃ、「配布時刻＝2006.02.01.18:34」１９９ｄ、「配布端末種別＝コンビニ情報端末」１９９ｅ、「配布場所＝▽◎西口店」１９９ｆ、「接続形態＝有線」１９９ｇなどが、例示されている。
【００８１】
図１２は、利用者携帯端末装置５００にて項目を追加した配布管理データ１９９の構造と例である。配布管理データ１９９を構成する項目には、図１１で説明したもの以外に、利用結果１９９ｈがある。利用結果１９９ｈは、利用者携帯端末装置５００にて追加して記述する項目である。図１２には、たとえば、目的地に到着して送信する配布管理データ１９１には、「利用結果＝○△酒房、クーポン利用」１９９ｈを追加したものが例示されている。
【００８２】
以上詳しく説明したように、本願発明によれば、コンテンツ（たとえば、フリーペーパ）の利用者は、現在いる場所から、利用者が希望する施設（たとえば、フリーペーパに掲載されている施設の中から選んだ施設）に、簡単容易に、到達できた。
【図面の簡単な説明】
【００８３】
【図１】道案内地図配信システムの全体構成
【図２】道案内地図配信システムの大まかな処理の流れ
【図３】道案内地図配信システムの詳細な構成図
【図４】コンテンツ・データの構造と例
【図５】地図データの構造と例
【図６】案内地図の座標値算出式の説明図
【図７】案内地図の作成手順の説明図
【図８】（変形例１）道案内地図配信システムの全体構成
【図９】（変形例１）利用実績を収集する道案内地図配信システムの大まかな処理の流れ
【図１０】（変形例１）利用実績を収集する道案内地図配信システムの詳細な構成図
【図１１】（変形例１）配布管理データの構造と例
【図１２】（変形例１）利用者携帯端末装置５００にて項目を追加した配布管理データの構造と例
【符号の説明】
【００８４】
１  道案内地図配信システム
２  利用実績を収集する道案内地図配布システム
１００  コンテンツ配布端末装置
１１０  コンテンツ取得手段
１１５  コンテンツ配布手段
１８０  配布管理送信手段
１８５  配布管理データ作成手段
１９９  配布管理データ
１９９ａ  コンテンツ名称
１９９ｂ  バージョン
１９９ｃ  地域を特定する情報
１９９ｄ  配布時刻
１９９ｅ  配布端末種別
１９９ｆ  配布場所
１９９ｇ  接続形態
１９９ｈ  利用結果
３００  コンテンツサーバ装置
３１０  コンテンツ送信手段
３８０  配布管理受信手段
３９０  記憶手段
３９１  コンテンツ・データ
３９１ａ  コンテンツ名称
３９１ｂ  バージョン
３９１ｃ  地域を特定する情報
３９１ｄ  目的地名称
３９１ｅ  目的地位置情報
３９１ｆ  閲覧情報
５００  利用者携帯端末装置
５１０  コンテンツ受信手段
５２０  閲覧画面表示手段
５３０  閲覧情報選択受付手段
５４０  目的地位置取得手段
５５０  ＧＰＳ手段
５６０  道案内依頼手段
５７０  道案内表示手段
５８０ａ  閲覧画面
５９０  記憶手段
７００  道案内地図サーバ装置
７６０  地図データ選択手段
７６５  道案内地図作成手段
７６５ａ  地図座標値の算出式
７７０  道案内地図送信手段
７９０  記憶手段
７９１  地図データ
７９１ａ  地図名称
７９１ｂ  地図原点絶対座標データ
７９１ｃ  地形データ
７９９  道案内データ
９００  ネットワーク接続
９１０  ＧＰＳ衛星
【図１】
2007218810.tif 000003
【図２】
2007218810.tif 000004
【図３】
2007218810.tif 000005
【図４】
2007218810.tif 000006
【図５】
2007218810.tif 000007
【図６】
2007218810.tif 000008
【図７】
2007218810.tif 000009
【図８】
2007218810.tif 000010
【図９】
2007218810.tif 000011
【図１０】
2007218810.tif 000012
【図１１】
2007218810.tif 000013
【図１２】
2007218810.tif 000014